(57)【特許請求の範囲】
【請求項１】
搬送コンベアに搬送されるプリント基板を支持する基板支持装置において、
搬送コンベアに搬送されるプリント基板を支持するための載置テーブルを基板搬送方向と直交する方向に複数配設し、複数の載置テーブルには夫々基板を載置する固定シュート及び可動シュートを前記基板搬送方向に沿って設けると共に、一つの載置テーブルに属する可動シュートと他のテーブルに属する可動シュートとが対向し、一つの載置テーブルに属する固定シュートと他のテーブルに属する固定シュートとの間に位置するように設け、大きい基板を支持する場合には、一つの載置テーブルに属する前記可動シュートを前記固定シュートに接近させ、他のテーブルに属する前記可動シュートを前記固定シュートに接近させ、一つの載置テーブルに属する前記可動シュートと他のテーブルに属する前記可動シュートとに基板を載置するようにしたことを特徴とする基板支持装置。
【発明の詳細な説明】
【０００１】
【発明の属する技術分野】
本発明は、プリント基板を支持する基板支持装置に関する。
【０００２】
【従来の技術】
従来、チップマウンタと呼ばれるような電子部品をプリント基板に実装する装置等では、搬送コンベアにより搬送されたプリント基板は１対のシュートに支持され電子部品装着等の作業がなされている。これに対して、さらに１対のシュートを隣合わせて設けて、プリント基板を夫々のシュートに支持させ、２枚の基板に同時に電子部品を装着して、作業効率を高めることが考えられる。
【０００３】
【発明が解決しようとする課題】
しかし、上記従来技術では、２枚の同じサイズの基板を支持することとしており、夫々の１対のシュートでは支持できないような大きな基板を支持することができなかった。夫々のテーブルの最大基板を大きくすることも考えられるが、全体として大きくなりすぎる問題点があった。
【０００４】
そこで本発明は、２枚の基板を支持可能な基板支持装置で１枚の大きな基板を支持することができるようにすることを目的とする。
【０００５】
【課題を解決するための手段】
このため本発明は、搬送コンベアに搬送されるプリント基板を支持する基板支持装置において、
搬送コンベアに搬送されるプリント基板を支持するための載置テーブルを基板搬送方向と直交する方向に複数配設し、複数の載置テーブルには夫々基板を載置する固定シュート及び可動シュートを基板搬送方向に沿って設けると共に、一つの載置テーブルに属する可動シュートと他のテーブルに属する可動シュートとが対向し、一つの載置テーブルに属する固定シュートと他のテーブルに属する固定シュートとの間に位置するように設け、大きい基板を支持する場合には、一つの載置テーブルに属する前記可動シュートを前記固定シュートに接近させ、他のテーブルに属する前記可動シュートを前記固定シュートに接近させ、一つの載置テーブルに属する可動シュートと他のテーブルに属する可動シュートとの間に基板を載置するようにしたものである。
【０００６】
このようにすれば、プリント基板が小さな場合には２枚同時に基板に対する作業ができ効率を上げることができ、プリント基板が大きな場合にも一つの載置テーブルに属する前記可動シュートを前記固定シュートに接近させ、他のテーブルに属する前記可動シュートを前記固定シュートに接近させ、一つの載置テーブルに属する可動シュートと他のテーブルに属する可動シュートとの間に基板を載置し、作業を施すことができる。
【００１３】
【発明の実施の形態】
図に基づき本発明の実施の形態を説明する。
【００１４】
図２に示す電子部品装着装置は基台１上に部品供給部２乃至５が設けられており、部品供給部２、３と部品供給部４、５の間にはプリント基板７を搬送する搬送コンベア８、９が設けられている。搬送コンベア８と搬送コンベア９との間には基板載置テーブル１１、１２がコンベア８、９の基板搬送方向（以下、Ｘ方向という。）と直交する方向（以下、Ｙ方向という。）に併設されており、搬送コンベア８が上流の装置から受け渡されたプリント基板７が基板載置テーブル１１、１２に移載され、基板載置テーブル１１、１２上の基板７が搬送コンベア９に移載される。夫々の前記部品供給部２乃至５には部品供給ユニット１４が前記基板搬送方向に並べられて配設されている。
【００１５】
部品供給ユニット１４は夫々が通常は同種の図示しない電子部品を多数個収納し、所定の供給位置に該部品を供給するものであり、異なる部品供給ユニット１４は異なる種類の電子部品を収納するので、部品供給ユニット１４が多数集まった全体として多数の種類の部品を供給するものである。各部品供給ユニット１４の供給位置は部品供給部２乃至５に取付けられた状態で、Ｘ方向に向かう直線上に並ぶようにされている。
【００１６】
また、部品供給部２と部品供給部３との間には上記供給位置が並ぶ直線上に部品認識カメラ１６が設けられており、同様に部品供給部４と部品供給部５との間にも上記供給位置が並ぶ直線上に部品認識カメラ１６が設けられている。
【００１７】
基板載置テーブル１１、１２はＹ方向に移動可能なＹテーブル１７上に載置されており、該Ｙテーブル１７の移動により搬送コンベア８、９と連結する位置に移動することができる。Ｙテーブル１７は図３に示すようにガイドレール１９に沿って移動し、その移動はＹメインモータ２０に回動されるネジ軸２１によって駆動される。前記基板載置テーブル１１はＹテーブル１７上に固定されているが、前記基板載置テーブル１２はＹテーブル１７上に設けられＹ方向に伸びるガイドレール２４に沿ってＹサブモータ２５に回動されるネジ軸２６によって駆動されＹ方向に移動する。
【００１８】
基板載置テーブル１１には固定シュート２９及び可動シュート３０が設けられ、両者の間でプリント基板７を支持するが、基板７の幅寸法に合わせて、可動シュート３０がテーブル１１の範囲内でＹ方向に移動するようになされている。
【００１９】
また、基板載置テーブル１２には固定シュート３１及び可動シュート３２が設けられ、両者の間でプリント基板７を支持するが、基板７の幅寸法に合わせて、可動シュート３２がテーブル１２の範囲内でＹ方向に移動するようになされている。
【００２０】
また、各シュート２９、３０、３１、３２には図１（ｂ）に示す場合に基板７を載置することができる図示しない部位及び基板７を搬送できるように回動する図示しないベルトが設けられている。各シュート２９、３０、３１、３２は、各一対のシュート２９、３０及びシュート３１、３２では支持できない大きな基板７を載置する場合には図１（ａ）に示すように内側にあり隣り合う可動シュート３０、３２が外側に移動して支持する。このため、可動シュート３０、３２の前述するとは反対側にも基板７を載置する図示しない部位及び基板７を搬送できる図示しないベルトが掛け渡されている。
【００２１】
また、前記搬送コンベア８、９も固定シュート３５及び移動可能な可動シュート３６を有する。
【００２２】
図３に示すように電子部品装着装置は部品供給ユニット１４の供給位置から電子部品を吸着して取出し、プリント基板７に装着する装着ヘッド３８、３９がコンベア８、９の両側に１個づつ設けられている。該装着ヘッド３８、３９は図示しないモータの回動によりネジ軸４０、４１によりＸ方向に移動すると共に、ガイドレール４４、４５に沿って上下動する。また、装着ヘッド３８，３９が取り付けられた装着ユニット４６、４７は、図示しない駆動機構（例えば、モータに回動されるボールネジ軸等）によりＹ方向に移動可能である。但し、このＹ方向の移動は部品を吸着する位置と部品を装着する位置との間を往復移動すればよいので、互いの装着ヘッド３８、３９が衝突しない位置に装着位置を設定しておけばよい。この設定した装着位置より互いに接近する方向には指令として移動しないようにしてもよいし、または機構的に互いに衝突しない位置までしか移動できないようにしてもよい。尚、装着ユニット及び装着ヘッドは部品供給部２乃至５毎に１個づつ設けてもよい。
【００２３】
また、部品供給部２乃至５の下方には載置テーブル１１、１２がＹテーブル１７の移動によりＹ方向に移動したときに入り込める空間が設けられている。
【００２４】
また、部品供給部２乃至５と搬送コンベア８、９との間には装着ヘッド３８、３９に交換可能に取付けられ電子部品を真空吸引する吸着ノズル５０が多数種類収納されたノズルストッカ５１が設けられているが、該ノズルストッカ５１はこの装着ヘッド３８、３９のＹ方向への移動範囲内に置かれている。
【００２５】
以上の構成により以下動作について説明する。
【００２６】
先ず、２枚の基板７を同時に載置して部品装着する場合について説明する。これは、比較的小さな基板７に電子部品を装着する場合であり、各基板載置テーブル１１、１２のシュート２９、３０及びシュート３１、３２が最大に開いた時に載置できる幅よりも小さな幅の基板７を搬送する場合である。
【００２７】
搬送コンベア８が搬送する基板７の幅に合わせて、可動シュート３０、３２が移動される。尚、固定シュート２９、３１の位置はなるべく部品供給部４、５に近い位置にすることが、ヘッド３８、３９の移動距離が少なくなるのでよい。このようにして、シュート３０，３２の位置が定まると、装着ヘッド３８、３９は各載置テーブル１１、１２の一対のシュート２９、３０及びシュート３１、３２間の間隔は同一の基板を載置するため同一であるので、可動シュート３０、３２の中間位置が部品供給部２、３と部品供給部４、５との中間位置に一致しているようにＹテーブル１７が位置しているときに各テーブル１１、１２に載置された基板７のＹ方向の中心位置に夫々のヘッド３８、３９が移動して部品の装着をするように図示しない制御装置に設定される。但し、これは位置補正がない場合であり、装着ヘッド３８，３９でＹ方向の位置補正をするのであれば、この位置に対して補正量を加味することになる。
【００２８】
次に、プリント基板７がコンベア８により上流装置より搬送され、載置テーブル１１のシュート２９、３０に図４に示すように受け渡され、位置決めされ固定される。
【００２９】
次に、Ｙテーブル１７が移動して図５に示すように次のプリント基板７がコンベア８より、際しテーブル１２のシュート３１、３２に受け渡され、位置決め固定される。
【００３０】
次に、図示しない装着順序毎に基板３の装着すべき位置及び装着すべき部品種が指定された装着データに従って、装着ヘッド３８、３９夫々の吸着ノズル５０が吸着すべき同じ部品４を吸着する。部品供給部２、３と部品供給部４、５の部品供給ユニット１４の配置は互いに向かい合うものが同じになっている。従って、装着ヘッド３８、３９は部品を取出した位置から先ず、Ｘ方向に同じ距離移動して、部品認識カメラ１６上で部品認識のための部品撮像を行う。
【００３１】
次に、同時に移動を開始して、部品認識処理を終え、両ヘッド３８、３９は同時にＹ方向については前述する装着位置まで、Ｘ方向についてはデータに指示された位置まで同時に到達する。
【００３２】
この間に、Ｙテーブル１７は両基板７をデータの指示の位置が両吸着ノズル５０の位置となるように移動させ停止する。尚、部品認識結果ズレの補正を行わなければならない場合は、Ｘ方向については装着ヘッド３８、３９で行い、Ｙ方向については、載置テーブル１１の基板７については、Ｙテーブル１７の移動即ち、Ｙメインモータ２０の回動について補正し、載置テーブル１２の基板７については、このＹテーブル１７の移動量も考慮して、載置テーブル１２自身の移動即ち、Ｙサブモータの回動について補正する。または、前述するように、Ｙ方向についても、ヘッド３８、３９の移動を補正してもよい。
【００３３】
次に、各装着ヘッド３８、３９は次の部品を取出すために当該部品を供給する部品供給ユニット１４の供給位置に移動するが、この移動距離も同じであるため、同時に取出しが可能である。
【００３４】
このようにして、コンベア８、９の両側で同じ動作が進行し、同時に２枚の基板に対して、部品装着が終了する。
【００３５】
次に、図４に示すように、載置テーブル１１からコンベア９に基板７が受け渡され、該コンベア９により基板７は下流の装置に排出搬送される。
【００３６】
次に、Ｙテーブル１７が移動して、図５の状態で載置テーブル１２からコンベア９に基板が受け渡され、該コンベア９により基板７は下流の装置に排出搬送される。
【００３７】
このようにして、基板７は２枚づつ処理される。尚、ノズルストッカ５１の配置もコンベア８、９の両側でコンベアに対して線対称の配置にしておけば、ノズルの交換も同じタイミングに同じ時間で行うことができる。
【００３８】
次に、基板７の種類が変わり、載置テーブル１１、１２単独では載置できない大きさのものとなった場合には、可動シュート３０、３２を図１（ａ）に示すように広げ（各載置テーブル１１、１２内では夫々固定シュート２９、３１に接近して閉じる方向となる。）、大きな幅の基板７に合わせる。
【００３９】
次に、生産運転を開始すると、図６に示すようにコンベア８から基板７が受け渡され、図７に示すように、両装着ヘッド３８、３９が夫々、部品供給部２、３及び部品供給部４、５から部品を取出して、基板７に装着する。このときには、２枚の基板７に部品を装着するときのように、ヘッド３８、３９のＹ方向への移動する位置を一定として、Ｙテーブル１７の移動も行いながら互いに干渉しないように装着動作を行ってもよいし、ヘッド３８、３９が交互に基板７に部品を装着してもよい。
【００４０】
本実施形態では、装着ヘッド３８、３９もＹ方向に移動させるようにしたが、ヘッド３８、３９をＹ方向に移動させずにＸ方向にのみ移動させ、装着する場所を部品供給部２と３との間に空けたスペースとする場合は、基板７の幅が変わったときに載置テーブル１１、１２を相対的に移動させるか、２対のシュートを互いに相対的に移動させて、両側の基板７の中央に夫々ヘッド３８、３９が臨むようにすることで、部品を本実施形態のように同時に装着することが可能となる。
【００４１】
また、本実施形態は基板支持装置として、電子部品装着装置における例で説明したが、例えば、接着剤塗布装置に採用される基板支持装置にも適用できる。
【００４２】
【発明の効果】
以上のように、本発明によれば、プリント基板が小さな場合には２枚同時に基板に対する作業ができ効率を上げることができ、プリント基板が大きな場合にも一つの載置テーブルに属する前記可動シュートを前記固定シュートに接近させ、他のテーブルに属する前記可動シュートを前記固定シュートに接近させ、一つの載置テーブルに属する可動シュートと他のテーブルに属する可動シュートとの間に基板を載置して、作業を施すことができる。
【図面の簡単な説明】
【図１】基板載置テーブルが大きなプリント基板を支持する場合及び小さなプリント基板を支持する場合を示す平面図である。
【図２】電子部品装着装置を示す平面図である。
【図３】電子部品装着装置を示す側面図である。
【図４】電子部品装着装置を示す平面図である。
【図５】電子部品装着装置を示す平面図である。
【図６】電子部品装着装置を示す平面図である。
【図７】電子部品装着装置を示す側面図である。
【符号の説明】
７      プリント基板
８      搬送コンベア
９      搬送コンベア
１１      基板載置テーブル
１２      基板載置テーブル
２９      固定シュート
３０      可動シュート
３１      固定シュート
３２      可動シュート
【図１】
0003720212.tif 000002
【図２】
0003720212.tif 000003
【図３】
0003720212.tif 000004
【図４】
0003720212.tif 000005
【図５】
0003720212.tif 000006
【図６】
0003720212.tif 000007
【図７】
0003720212.tif 000008